(57)【特許請求の範囲】
【請求項１】
電磁弁のケーシング（７）に互いに９０度をなす異なる方向へ向けて開けられた給電用の第１挿入孔（８）及び第２挿入孔（９）と、前記第１挿入孔（８）及び第２挿入孔（９）の一方に選択的に挿入されて電気的及び機械的に接続される給電用の一つのコネクタ（６）とを備えた電磁弁の給電装置において、
前記第１挿入孔（８）の開口位置に配置された端子板（１２）が、同時に前記第２挿入孔（９）の開口位置にも配置されており、
前記コネクタ（６）には、前記コネクタ（６）が前記第１挿入孔（８）に接続されたときに、前記端子板（１２）と係合する端子挟（２５）を保持する一対の挿入突起（２２）と、前記第２挿入孔（９）を塞ぐためのカバー（２６）を設けたことを特徴とする電磁弁の給電装置。
【請求項２】
請求項１に記載の電磁弁の給電装置おいて、
前記コネクタ（６）には、前記カバー（２６）が前記第２挿入孔（９）を塞いだときに前記コネクタ（６）を前記ケーシング（７）に係止するための係止手段（８、９、２７）を設けたことを特徴とする電磁弁の給電装置。
【請求項３】
請求項２に記載の電磁弁の給電装置において、
前記係止手段（８、９、２７）は前記カバー（２６）に設けられた係止爪（２７）を含み、その係止爪（２７）は、前記カバー（２６）が前記第２挿入孔（９）を塞いだときに、前記第２挿入孔（９）に係合するものであることを特徴とする電磁弁の給電装置。
【発明の詳細な説明】
【０００１】
【発明の属する技術分野】
この発明は、電磁弁に電力を供給するために使用される給電装置に関する。特に詳しくは、電磁弁のケーシングに開けられた挿入孔へコネクタを接続するようにした電磁弁の給電装置に関する。
【０００２】
【従来の技術】
従来、この種の給電装置として、電磁弁のケーシングにおいて、それぞれ異なる方向へ向けて開けられた複数の挿入孔の一つに選択的にコネクタを接続するようにした給電装置がある。これは、電磁弁が所定の場所に設置されたときに、その配置向きの違いに拘わらず、電磁弁に対してコネクタを容易に接続するための構成である。
【０００３】
実公平２−２０５５０号公報は、この種の給電装置の一例を開示する。図１０に示すしように、電磁弁のソレノイド４１に電力を供給するための給電装置は、給電用の電気回路等を内蔵するカバー４２と、給電用のコネクタ４３とを備える。カバー４２は、異なる方向へ向けて予め開けられた、即ち上側壁４４と、正面壁４５とに開けられた二つの挿入孔４６，４７を有する。各挿入孔４６，４７の中に設けられた突条４８及び係止壁４９のそれぞれは、コネクタ４３に設けられた溝５０及びフック５１に対応する。各挿入孔４６，４７に設けられた端子ピン（図示しない）は、コネクタ４３に設けられた端子片（図示しない）に対応する。コネクタ４３は、これら二つの挿入孔４６，４７の一方に選択的に挿入される。この挿入時に、上記の突条４８及び係止壁４９と、上記の溝５０及びフック５１とが互いに係合することにより、各挿入孔４６，４７にコネクタ４３が機械的に接続される。又、上記の端子ピンと、上記の端子片とが互いに係合することにより、各挿入孔４６，４７にコネクタ４３が電気的に接続される。
【０００４】
【発明が解決しようとする課題】
ところが、上記の給電装置では、一方の挿入孔４６，４７にコネクタ４３が接続されたときには、他方の挿入孔４７，４６が開放された状態となる。このため、開放された挿入孔４７，４６では、電気的な接続のための端子ピンが露出することになり、電気的な短絡等のおそれがあった。又、開放された挿入孔４７，４６には、粉塵等の異物が侵入し易く、その異物により端子ピン等の電気部材の電気絶縁性が低下するおそれがあった。
【０００５】
上記の問題を解決するために、コネクタ４３が接続されない方の挿入孔４７，４６を別途の蓋等で塞ぐことも考えられる。しかし、このような別部材を設けることは、それらを紛失させたり、給電装置をコストアップさせたりすることになる。
【０００６】
この発明は上記の事情に鑑みてなされたものであって、その目的は、複数の挿入孔の一つにコネクタが接続されたとき、他の挿入孔を別途の蓋等を使用することなく塞ぐことを可能とし、電気的な短絡や電気絶縁性の低下等の不具合を防止することを可能とした電磁弁の給電装置を提供することにある。
【０００７】
【課題を解決するための手段】
上記の目的を達成するために、請求項１に記載の発明は、電磁弁のケーシングにそれぞれ異なる方向へ向けて開けられた給電用の複数の挿入孔と、それら挿入孔の一つに選択的に挿入されて電気的及び機械的に接続される給電用の一つのコネクタとを備えた電磁弁の給電装置において、コネクタには、同コネクタが一つの挿入孔に接続されたときに他の挿入孔を塞ぐためのカバーを設けたことを趣旨とする。
【０００８】
上記の構成によれば、電磁弁に対する給電のために、複数の挿入孔の一つにコネクタが挿入されることにより、その挿入孔においてコネクタが電気的及び機械的に接続される。このとき、コネクタが挿入されなかった他の挿入孔は、コネクタの接続と同時にカバーにより塞がれることになり、その挿入孔が外部へ露呈しない。
【０００９】
上記の目的を達成するために、請求項２に記載の発明は、電磁弁のケーシングに互いに９０度をなす異なる方向へ向けて開けられた給電用の二つの挿入孔と、両挿入孔の一方に選択的に挿入されて電気的及び機械的に接続される給電用の一つのコネクタとを備えた電磁弁の給電装置において、コネクタには、同コネクタが一方の挿入孔に接続されたときに他方の挿入孔を塞ぐためのカバーを設けたことを趣旨とする。
【００１０】
上記の構成によれば、電磁弁に対する給電のために、二つの挿入孔の一方にコネクタが挿入されることにより、その挿入孔においてコネクタが電気的及び機械的に接続される。このとき、コネクタが挿入されなかった他方の挿入孔は、コネクタの接続と同時にカバーにより塞がれることになり、その挿入孔が外部へ露呈しない。
【００１１】
上記の目的を達成するために、請求項３に記載の発明は、請求項１又は請求項２の発明の構成において、コネクタには、カバーが挿入孔を塞いだときにコネクタをケーシングに係止するための係止手段を設けたことを趣旨とする。
【００１２】
上記の構成によれば、請求項１又は請求項２の発明の作用に加え、カバーが挿入孔を塞いだとき、即ち、コネクタが別の挿入孔に接続されたときには、コネクタが係止手段によりケーシングに係止され、抜け止めされる。
【００１３】
上記の目的を達成するために、請求項４に記載の発明は、請求項３の発明の構成において、係止手段はカバーに設けられた係止爪を含み、その係止爪は、カバーが挿入孔を塞いだときに、挿入孔に係合するものであることを趣旨とする。
【００１４】
上記の構成によれば、請求項３の発明の作用に加え、カバーにより塞がれる挿入孔が、係止爪を係合させる相手として利用される。従って、係止爪を係合させるための凹部等を、ケーシングに別途設ける必要がない。
【００１５】
【発明の実施の形態】
以下、本発明の電磁弁の給電装置を具体化した一実施の形態を図面を参照して詳細に説明する。
【００１６】
図１は本実施の形態における電磁弁１とその給電装置２を示す。電磁弁１は本体弁部３と、その一側に固定されたアクチュエータ部４とを備える。本体弁部３はスプール弁（図示しない）を内蔵する。アクチュエータ部４は、後述するパイロット弁を内蔵する。このパイロット弁は、スプール弁に供給されるパイロット圧を調整するために電気的に制御されるものである。給電装置２は、アクチュエータ部４のパイロット弁に電力を供給するためのものである。
【００１７】
給電装置２は、アクチュエータ部４に設けられた給電部５と、その給電部５に接続される給電用の一つのコネクタ６（図１には説明の便宜上、二つのコネクタ６が示される。）とを備える。給電部５はアクチュエータ部４に固定されるケーシング７を有する。このケーシング７は、その突部７ａにおいて、互いに異なる方向へ向けて開けられた給電用の第１の挿入孔８及び第２の挿入孔９を有する。各挿入孔８，９はそれぞれ一対の孔を有する。図１において、第１の挿入孔８は上方へ、第２の挿入孔９は前方へそれぞれ指向する。即ち、二つの挿入孔８，９は、互いに９０度をなす異なる方向へ向けて開けられている。コネクタ６には、一対の給電線１０が予め接続される。このコネクタ６は、二つの挿入孔８，９の一つに選択的に挿入されて電気的及び機械的に接続されるものである。図７，図８は、上記のように二つの挿入孔８，９の一方にコネクタ６が選択的に接続された状態を示す。
【００１８】
図２は給電部５を分解して示す。給電部５は前記ケーシング７と、その内部に設けられた基板１１とを含む。基板１１は、一方へ突設された一対の端子板１２と、各端子板１２に配線を介して接続された一対の端子管１３とを有する。この基板１１は、アクチュエータ部４に対してねじ１４で固定される。ケーシング７は、その側面に形成された複数の孔７ｂが、アクチュエータ部４に突設された複数の爪４ａに係合することにより、アクチュエータ部４に固定される。両端子板１２は、ケーシング７の突部７ａにおいて各挿入孔８，９に対応して配置される。即ち、端子板１２は、各挿入孔８，９の何れを通じても外部から視認される。一方、アクチュエータ部４には、両端子管１３に対応する一対の端子ピン１５が突設される。両端子ピン１５は、基板１１がアクチュエータ部４に固定されたときに、両端子管１３に挿入されて接続される。図５はアクチュエータ部４の断面構造を示す。アクチュエータ部４に設けられたパイロット弁１６は、ソレノイド１７等を備える周知のものであり、そのソレノイド１７に対して端子ピン１５が接続されている。
【００１９】
図３，４はコネクタ６と、端子板１２とを示す。コネクタ６は本体２１と、その本体２１から一方へ突設された一対の挿入突起２２とを備える。各挿入突起２２は、前記各端子板１２に対応する嵌合溝２３を有する。各嵌合溝２３は、図３に示すように挿入突起２２の先端面に開口し、図４に示すように挿入突起２２の下面に開口する。コネクタ６は、更に、前記各嵌合溝２３に連通する一対の給電孔２４と、一対の端子挟２５とを備える。各端子挟２５は、給電線１０が接続された状態で各給電孔２４に挿入され、組み付けられる。この組み付け状態において、各端子挟２５は、対応する挿入突起２２の嵌合溝２３に配置される。
【００２０】
コネクタ６は、更に、その本体２１上にカバー２６を有する。このカバー２６は、コネクタ６が一方の挿入孔８，９に接続されたときに、他方の挿入孔９，８を塞ぐためのものであり、本体２１から両挿入突起２２の上に庇のように張り出している。このカバー２６は本体２１に一体成形され、自身の弾性変形に基づいて、本体２１上でシーソーのように揺動可能をなす。両挿入突起２２とカバー２６との間の隙間において、カバー２６の裏面には、一対の係止爪２７が突設される。各係止爪２７は、ちょうど各挿入突起２２と対応するようにそれぞれ配置される。この係止爪２７は、カバー２６が挿入孔８，９を塞いだときに、挿入孔８，９に係合するものである。この実施の形態で、係止爪２７と、各挿入孔８，９は、カバー２６が挿入孔８，９を塞いだときに、コネクタ６をケーシング７に係止するための本発明の係止手段を構成する。
【００２１】
次に、上記のように構成された給電装置２の作用及び効果を説明する。前述したように、コネクタ６は、ケーシング７の二つの挿入孔８，９の一方に選択的に挿入される。
【００２２】
即ち、パイロット弁１６のソレノイド１７に対する給電のために、図５，７に示すように、第１の挿入孔８にその上方からコネクタ６の挿入突起２２を挿入すると、その挿入孔８において挿入突起２２が電気的及び機械的に接続される。即ち、挿入突起２２は、端子板１２の側方から基板１１に沿って端子板１２に近付き、これにより、図３に示すように、各端子板１２は各挿入突起２２と交差する形で各嵌合溝２３に嵌合される。この状態では、各嵌合溝２３の中で、各端子板１２が端子挟２５に挟まれて、その端子板１２に対して電気的及び機械的に接続される。このとき、図５，７に示すように、コネクタ６が挿入されなかった第２の挿入孔９は、コネクタ６の接続と同時にカバー２６により塞がれ、その挿入孔９の中、特には端子板１２が外部へ露呈することはない。
【００２３】
一方、図６，８に示すように、第２の挿入孔９に側方からコネクタ６の挿入突起２２を挿入すると、その挿入孔８において挿入突起２２が電気的及び機械的に接続される。即ち、挿入突起２２は、端子板１２の先から基板１１に対して垂直に端子板１２に近付き、これにより、図４に示すように、各端子板１２は各挿入突起２２に沿った状態で各嵌合溝２３に嵌合される。この状態では、各嵌合溝２３の中で、各端子板１２が端子挟２５に挟まれて、その端子板１２に対して電気的及び機械的に接続される。このとき、図６，８に示すように、コネクタ６が挿入されなかった第１の挿入孔８は、コネクタ６の接続と同時にカバー２６により塞がれ、その挿入孔８の中、特には端子板１２が外部へ露呈することはない。
【００２４】
上記のように本実施の形態では、二つの挿入孔８，９の一方にコネクタ６を接続したときに、他方の挿入孔９，８をコネクタ６のカバー２６により塞ぐことができ、別途の蓋等を使用して他方の挿入孔９，８を塞ぐ必要がない。このため、各挿入孔８，９から端子板１２等が露出することがなく、それらの電気的な短絡を未然に防止することができる。更に、挿入孔８，９に粉塵等の異物が侵入することがなく、その異物により端子板１２等の電気絶縁性が低下することを防止することができる。
【００２５】
この実施の形態では、カバー２６の裏面に係止爪２７を設け、カバー２６が挿入孔８，９を塞いだときに、係止爪２７が挿入孔８，９に係合するようにしている。従って、カバー２６が一方の挿入孔８，９を塞いだとき、即ち、コネクタ６が他方の挿入孔９，８に接続されたときには、コネクタ６が係止爪２７及び挿入孔８，９によりケーシング７に係止され、抜け止めされる。このため、挿入孔８，９からのコネクタ６の脱落を未然に防止することができる。
【００２６】
この実施の形態では、カバー２６により塞がれる挿入孔８，９が、係止爪２７を係合させる相手として利用される。従って、係止爪やそれを係合させるための凹部等をケーシング７の突部７ａに別途設ける必要がない。このため、コネクタ６や突部７ａの形状を比較的簡素なものにすることができ、それらを成形するための金型形状を比較的単純なものにすることができる。
【００２７】
この実施の形態では、挿入突起２２の嵌合溝２３とその中の端子挟２５により端子板１２を挟んで両者２２，１２を接続するようにしている。そのため、端子板１２を挿入突起２２等により挟んで保護することができる。
【００２８】
尚、この発明は前記実施の形態に限定されるものではなく、発明の趣旨を逸脱することのない範囲で以下のように実施することができる。以下の実施の形態においても、前記実施の形態と同様の作用及び効果を得ることができる。
【００２９】
（１）前記実施の形態では、図５，６に示すように、コネクタ６をケーシング７の突部７ａに対して、その上方又は前方から各挿入孔８，９に接続するようにした。これに対し、図９に示すように、第１の挿入孔８を突部７ａの下側に設けて、コネクタ６を突部７ａに対して、その下方又は前方から各挿入孔８，９に接続するようにしてもよい。
【００３０】
（２）前記実施の形態では、各挿入孔８，９をそれぞれ一対とし、それに対応してコネクタ６に設けられる挿入突起２２を一対とした。これに対し、各挿入孔をそれぞれ一つのものとし、それに対応してコネクタに設けられる挿入突起を一つとしてもよい。
【００３１】
（３）前記実施の形態では、コネクタ６において係止爪２７をカバー２６に設け、その係止爪２７を各挿入孔８，９に係合可能に設けた。これに対して、コネクタに設けられる係止爪を、ケーシングにおいて、挿入孔以外の位置、例えば、前記突部７ａの側面に設けられる凹部に係合可能としてもよい。
【００３２】
（４）前記実施の形態では、カバー２６に係止爪２７を設けたが、この係止爪２７を省略してもよい。
【００３３】
（５）前記実施の形態では、ケーシング７の突部７ａに互いに異なる方向へ向けて開けられた二つの挿入孔８，９を設け、その一方にコネクタ６が選択的に接続されたときに、他方がカバー２６により塞がれるようにした。これに対し、ケーシングの突部にそれぞれ異なる方向へ向けて開けられた三つの挿入孔を設け、その一つにコネクタが選択的に接続されたときに、他の挿入孔がカバーにより塞がれるようにしてもよい。
【００３４】
（６）前記実施の形態では、二つの挿入孔８，９に共通に設けられた一対の端子板１２に、各挿入孔８，９から挿入されるコネクタ６を接続するようにした。これに対し、各挿入孔のそれぞれに個別に設けられた端子板に、各挿入孔から挿入されるコネクタを接続するようにしてもよい。
【００３５】
【発明の効果】
請求項１に記載の発明の構成によれば、コネクタには、同コネクタが一つの挿入孔に接続されたときに他の挿入孔を塞ぐためのカバーを設けている。従って、コネクタが挿入されなかった他の挿入孔が、コネクタの接続と同時にカバーにより塞がれ、その挿入孔が外部へ露呈することがない。この結果、コネクタが接続されない挿入孔を別途の蓋等を使用することなく塞ぐことができ、電気的な短絡や電気絶縁性の低下等の不具合の発生を未然に防止することができるという効果を発揮する。
【００３６】
請求項２に記載の発明の構成によれば、コネクタには、同コネクタが一方の挿入孔に接続されたときに他方の挿入孔を塞ぐためのカバーを設けている。従って、コネクタが挿入されなかった他方の挿入孔が、コネクタの接続と同時にカバーにより塞がれ、その挿入孔が外部へ露呈することがない。この結果、コネクタが接続されない挿入孔を別途の蓋等を使用することなく塞ぐことができ、電気的な短絡や電気絶縁性の低下等の不具合の発生を未然に防止することができるという効果を発揮する。
【００３７】
請求項３に記載の発明の構成によれば、請求項１又は請求項２の発明の構成において、カバーが挿入孔を塞いだときにコネクタを係止手段によりケーシングに係止するようにした。従って、請求項１又は請求項２の発明の作用及び効果に加え、カバーが挿入孔を塞いだときに、コネクタが係止手段によりケーシングに係止され、抜け止めされる。この結果、挿入孔からのコネクタの脱落を未然に防止することができるという効果を発揮する。
【００３８】
請求項４に記載の発明の構成によれば、請求項３の発明の構成において、係止手段の一つをカバーに設けられた係止爪とし、カバーが挿入孔を塞いだときに、その係止爪を挿入孔に係合させるようにした。従って、請求項３の発明の作用及び効果に加え、係止爪を係合させるための凹部等をケーシングに別途設ける必要がない。このため、コネクタやケーシングの形状を比較的簡素なものにすることができ、それらの成形金型を比較的単純な形状にすることができるという効果を発揮する。
【図面の簡単な説明】
【図１】一実施の形態に係り、電磁弁とその給電装置を示す斜視図である。
【図２】一実施の形態に係り、給電部を示す分解斜視図である。
【図３】一実施の形態に係り、コネクタ等を示す斜視図である。
【図４】一実施の形態に係り、同じくコネクタ等を示す斜視図である。
【図５】一実施の形態に係り、給電装置等の構造を示す断面図である。
【図６】一実施の形態に係り、同じく給電装置等の構造を示す断面図である。
【図７】一実施の形態に係り、給電装置の接続状態を示す斜視図である。
【図８】一実施の形態に係り、同じく給電装置の接続状態を示す斜視図である。
【図９】別の実施の形態に係り、給電装置等の構造を示す断面図である。
【図１０】従来技術に係り、給電装置を示す斜視図である。
【符号の説明】
１    電磁弁
２    給電装置
６    コネクタ
７    ケーシング
８    第１の挿入孔
９    第２の挿入孔
２６  カバー
２７  係止爪（８，９，２７は係止手段を構成する。）
【図１】
0003860888.tif 000002
【図２】
0003860888.tif 000003
【図３】
0003860888.tif 000004
【図４】
0003860888.tif 000005
【図５】
0003860888.tif 000006
【図６】
0003860888.tif 000007
【図７】
0003860888.tif 000008
【図８】
0003860888.tif 000009
【図９】
0003860888.tif 000010
【図１０】
0003860888.tif 000011